(57)【要約】【課題】  光信号がＬレベルの状態が長時間継続する場合であってもノイズが発生しにくい光電気変換装置を提供する。【解決手段】  光信号を入力されるフォトダイオード２１の出力電流を電圧に変換する電流電圧変換回路２２１と、電流電圧変換回路２２１の出力電圧を増幅する増幅回路２２２と、増幅回路２２２の出力電圧Ｖ１と一定の基準電圧Ｖｔｈとを比較し比較結果に応じた電圧を出力する比較回路２２３とを備える。基準電圧Ｖｔｈが一定とされているので、増幅回路２２２の出力電圧Ｖ１の時間平均が基準電圧Ｖｔｈとされる場合に比べ、光信号がＬレベルの状態が長時間継続する場合であってもノイズが発生しにくい。【選択図】図１
2014158096.tif 000002
【特許請求の範囲】
【請求項１】
入力された光信号の光量に対して正の相関を有する電圧を出力する受光回路と、
前記受光回路の出力電圧と一定の基準電圧とを比較し、比較結果に応じた電圧を出力する比較回路とを備えることを特徴とする光電気変換装置。
【請求項２】
前記光信号は矩形波であって、
前記基準電圧は、前記光信号がＨレベルであるときの前記受光回路の出力電圧として想定される値の最低値よりも低く、且つ、前記光信号がＬレベルであるときの前記受光回路の出力電圧として想定される値の最高値よりも高くされていることを特徴とする請求項１記載の光電気変換装置。
【請求項３】
前記受光回路の出力電圧のピーク値の変動を抑えるように前記光信号の光量に対する前記受光回路の出力電圧の関係を変化させる自動利得制御回路を備えることを特徴とする請求項1記載の光電気変換装置。
【請求項４】
前記光信号は矩形波であって、
前記基準電圧は、前記光信号がＨレベルであるときの前記受光回路の出力電圧として想定される値の最低値よりも低く、且つ、前記光信号がＬレベルであるときの前記受光回路の出力電圧として想定される値の最高値よりも高くされていることを特徴とする請求項３記載の光電気変換装置。
【請求項５】
所定の発光閾値以上の電流が入力されたときに入力された電流に応じた光量のレーザーを出力する発光素子と、
矩形波を入力され、入力された信号レベルに応じた電流であって前記発光閾値以上の電流を前記発光素子に入力することで前記発光素子から光信号を出力させる駆動回路と、
前記光信号がＬレベルとされる状態が所定のアイドル時間以上継続しているときに前記駆動回路から前記発光素子への電流の入力を停止させる停止回路とを備えることを特徴とする光電気変換装置。
【請求項６】
前記駆動回路への電力の供給をオンオフするスイッチ回路を備え、
前記停止回路は、前記光信号がＬレベルとされる状態が所定のアイドル時間以上継続しているときに前記スイッチ回路をオフさせることを特徴とする請求項５記載の光電気変換装置。
【請求項７】
前記駆動回路から前記発光素子への入力電流をオンオフするスイッチ回路を備え、
前記停止回路は、前記光信号がＬレベルとされる状態が所定のアイドル時間以上継続しているときに前記スイッチ回路をオフさせることを特徴とする請求項５記載の光電気変換装置。
【請求項８】
所定の発光閾値以上の電流が入力されたときに入力された電流に応じた光量のレーザーを出力する発光素子と、
矩形波を入力され、入力された信号レベルに応じた電流であって前記発光閾値以上の電流を前記発光素子に入力することで前記発光素子から光信号を出力させる駆動回路と、
前記光信号を入力され、入力された前記光信号を電気信号に変換して出力する受信装置と、
前記光信号がＬレベルとされる状態が所定のアイドル時間以上継続しているときに前記受信装置の出力を停止させる停止回路とを備えることを特徴とする光電気変換装置。
【発明の詳細な説明】
【技術分野】
【０００１】
本発明は、光電気変換装置に関するものである。
【背景技術】
【０００２】
従来から、図１２に示すように、電気信号を光信号に変換する送信装置１と、送信装置１から光ファイバ３を介して伝送された光信号を電気信号に変換（復元）する受信装置２とを備える光電気変換装置が提供されている（例えば、特許文献１参照）。
【０００３】
この種の光電気変換装置は、光アクティブコネクタとも呼ばれ、主に高周波のデジタル信号（矩形波）の伝送に用いられる。光信号は、周波数に関わらず輻射ノイズを発生させず、また外部からの輻射ノイズの影響を受けないので、上記のような光電気変換装置を用いれば、電気信号のままパラレル伝送などを用いて伝送する場合に比べ、省配線化や電磁ノイズの低減が可能となる。
【０００４】
詳しく説明すると、送信装置１は、図１３に示すように、発光素子としてのレーザーダイオード１１と、送信側の外部回路から入力された電圧に応じた電流によりレーザーダイオード１１を駆動する駆動回路１２とを備える。また、送信装置１は、プリント配線板１０を備える。駆動回路１２は１チップの集積回路からなりプリント配線板１０の一面（図１２での上面）に直接実装され、レーザーダイオード１１はプリント配線板１０の上記一面に実装されたサブマウント基板１３上に実装されている。さらに、プリント配線板１０の他面（図１２での下面）には、駆動回路１２に電気的に接続されたプラグ１４が実装されている。プラグ１４は、送信側の外部回路が実装されたプリント配線板４１に実装されたレセプタクル４１１とともに、周知のコネクタを構成する。すなわち、送信側の外部回路から駆動回路１２への信号の入力は、上記のプラグ１４を介して行われる。
【０００５】
レーザーダイオード１１は、入力電流が所定の発光閾値以上であるときに、入力電流に応じた（具体的には、入力電流に対して正の相関を有する）光量のレーザー光を発生させる。
【０００６】
駆動回路１２は、矩形波を入力され、入力された信号のレベル（すなわち電圧。以下、「入力信号レベル」と呼ぶ。）がＨレベルである期間中には、レーザーダイオード１１への入力電流（以下、「駆動電流」と呼ぶ。）を、入力信号レベルがＬレベルである期間中の駆動電流よりも多く、且つ発光閾値よりも多くする。これにより、駆動回路１２に入力された電気信号（電圧信号）が光信号に変換される。この光信号は、レーザーダイオード１１から光ファイバ３に出力される。
【０００７】
ここで、レーザーダイオード１１においては、入力電流が発光閾値に達してレーザー光の出力（発振）が開始された直後には、レーザー光の光量に振動（いわゆる緩和振動）が発生する。従って、信号の伝送速度が例えば５Ｇｂｐｓといったように高い場合、仮に、駆動回路１２が、入力信号レベルがＬレベルである期間中の駆動電流を発光閾値よりも少なくすると、駆動回路１２への入力信号レベルがＬレベルからＨレベルに変化する度に上記の緩和振動が発生することで、上記の緩和振動に起因するノイズが無視できない程度に増加してしまう。
【０００８】
そこで、駆動回路１２としては、入力信号レベルがＬレベルである期間中にも駆動電流を発光閾値以上に維持するものが用いられる。これにより、上記の緩和振動の発生は始動時のみに抑えられる。具体的には、駆動回路１２は、入力信号レベルがＬレベルである期間には駆動電流を発光閾値よりも僅かに多くし、入力信号レベルがＨレベルである期間には駆動電流をさらに増加させて例えばレーザーダイオード１１の定格電流程度とする。
【０００９】
また、受信装置２は、光ファイバ３を介してレーザーダイオード１１に光学的に接続されたフォトダイオード２１を備える。つまり、フォトダイオード２１には、レーザーダイオード１１から光ファイバ３を介して伝送された光信号が入力される。また、受信装置２は、フォトダイオード２１の出力を矩形波に整形して受信側の外部回路に出力する受信回路２２とを備える。さらに、受信装置２は、プリント配線板２０を備える。受信回路２２は１チップの集積回路からなりプリント配線板２０の一面（図１２での上面）に直接実装され、フォトダイオード２１はプリント配線板２０の上記一面に実装されたサブマウント基板２３上に実装されている。また、プリント配線板２０の他面（図１２での下面）には、受信回路２２に電気的に接続されたプラグ２４が実装されている。プラグ２４は、受信側の外部回路が実装されたプリント配線板４２に実装されたレセプタクル４２１とともに、周知のコネクタを構成する。すなわち、受信回路２２から受信側の外部回路への信号の入力は、上記のプラグ２４を介して行われる。
【００１０】
また、図１４に示すように、フォトダイオード２１は、逆バイアスがかかった、いわゆる光導電モードで使用されている。また、受信回路２２は、フォトダイオード２１の出力電流を電圧に変換する電流電圧変換回路２２１と、電流電圧変換回路２２１の出力電圧を増幅する増幅回路２２２と、増幅回路２２２の出力電圧（以下、「受光電圧」と呼ぶ。）Ｖ１を基準電圧Ｖｔｈと比較する比較回路２２３とを備える。比較回路２２３は、受光電圧Ｖ１が基準電圧Ｖｔｈ以上であったときに出力をＨレベルとし、受光電圧Ｖ１が基準電圧Ｖｔｈ未満であったときに出力をＬレベルとする。すなわち、フォトダイオード２１と電流電圧変換回路２２１と増幅回路２２２とで、入力された光信号の信号レベル（光量）に対して正の相関を有する受光電圧Ｖ１を出力する受光回路が構成されている。上記のような受信回路２２は周知技術で実現可能であるので、詳細な図示並びに説明は省略する。なお、比較回路２２３の出力は差動出力とされる場合もある。また、送信装置１には、３レベル（正、負、０）の入力を２レベル（Ｈレベル、Ｌレベル）の信号（矩形波）に符号化して駆動回路１２に入力する符号化回路（図示せず）が設けられる場合もある。この場合、受信装置２には、受信回路２２の２レベルの出力を３レベルの信号に復号化して出力する復号化回路（図示せず）が設けられる。
【００１１】
ところで、上記の基準電圧Ｖｔｈは、光信号がＬレベルであるとき（つまり、駆動回路１２への入力信号レベルがＬレベルであるとき）の受光電圧Ｖ１よりも高くする必要がある。しかしながら、上記構成では、駆動回路１２への入力信号レベルがＬレベルである期間にもレーザーダイオード１１は発光するから、上記期間における受光電圧Ｖ１は、光ファイバ３の長さやレーザーダイオード１１の種別などの条件に依存する。そこで、上記の条件が異なる場合にも対応可能となるように、上記の基準電圧Ｖｔｈとしては、一定値ではなく、受光電圧Ｖ１の所定時間での時間平均が用いられる。具体的には、受信回路２２は、電流電圧変換回路２２１の出力に基いて上記のような基準電圧Ｖｔｈを生成し比較回路２２３に入力する演算回路２２４を備える。また、上記の所定時間は、１ビットの信号の伝送にかかる時間（以下、「単位時間」と呼ぶ。）よりも十分に長く、例えば単位時間の２倍とされる。
【先行技術文献】
【特許文献】
【００１２】
【特許文献１】特開２００９−２６０２２７号公報
【発明の概要】
【発明が解決しようとする課題】
【００１３】
上記従来の光電気変換装置においては、図１５に示すように光信号の信号レベル（光量）ＰがＬレベルの状態（つまり駆動回路１２への入力信号レベルがＬレベルの状態）が長時間継続したときに、基準電圧Ｖｔｈが非常に低くなることで、光信号の信号レベルＰの変動であって通常は受信回路２２の出力に影響を与えない程度に小さい変動が、受信回路２２の出力にノイズ（チャタリング）として現れてしまう可能性がある。特に、送受信間で伝送速度などを決定して通信を確立する処理（いわゆるリンクトレーニング）の際には、駆動回路１２への入力信号レベルがＬレベルの状態が長時間継続するバースト信号が用いられることが多く、上記のようなノイズが発生する可能性が高い。
【００１４】
本発明は、上記事由に鑑みて為されたものであり、その目的は、光信号がＬレベルの状態が長時間継続する場合であってもノイズが発生しにくい光電気変換装置を提供することにある。
【課題を解決するための手段】
【００１５】
本発明の光電気変換装置は、入力された光信号の光量に対して正の相関を有する電圧を出力する受光回路と、前記受光回路の出力電圧と一定の基準電圧とを比較し、比較結果に応じた電圧を出力する比較回路とを備えることを特徴とする。
【００１６】
上記の光電気変換装置において、前記光信号は矩形波であって、前記基準電圧は、前記光信号がＨレベルであるときの前記受光回路の出力電圧として想定される値の最低値よりも低く、且つ、前記光信号がＬレベルであるときの前記受光回路の出力電圧として想定される値の最高値よりも高くされていることが望ましい。
【００１７】
また、上記の光電気変換装置において、前記受光回路の出力電圧のピーク値の変動を抑えるように前記光信号の光量に対する前記受光回路の出力電圧の関係を変化させる自動利得制御回路を備えていてもよい。
【００１８】
さらに、上記の光電気変換装置において、前記光信号は矩形波であって、前記基準電圧は、前記光信号がＨレベルであるときの前記受光回路の出力電圧として想定される値の最低値よりも低く、且つ、前記光信号がＬレベルであるときの前記受光回路の出力電圧として想定される値の最高値よりも高くされていることが望ましい。
【００１９】
また、本発明の別の光電気変換装置は、所定の発光閾値以上の電流が入力されたときに入力された電流に応じた光量のレーザーを出力する発光素子と、矩形波を入力され、入力された信号レベルに応じた電流であって前記発光閾値以上の電流を前記発光素子に入力することで前記発光素子から光信号を出力させる駆動回路と、前記光信号がＬレベルとされる状態が所定のアイドル時間以上継続しているときに前記駆動回路から前記発光素子への電流の入力を停止させる停止回路とを備えることを特徴とする。
【００２０】
上記の光電気変換装置において、前記駆動回路への電力の供給をオンオフするスイッチ回路を備え、前記停止回路は、前記光信号がＬレベルとされる状態が所定のアイドル時間以上継続しているときに前記スイッチ回路をオフさせるものであってもよい。
【００２１】
または、上記の光電気変換装置において、前記駆動回路から前記発光素子への入力電流をオンオフするスイッチ回路を備え、前記停止回路は、前記光信号がＬレベルとされる状態が所定のアイドル時間以上継続しているときに前記スイッチ回路をオフさせるものであってもよい。
【００２２】
所定の発光閾値以上の電流が入力されたときに入力された電流に応じた光量のレーザーを出力する発光素子と、
本発明の更に別の光電気変換装置は、矩形波を入力され、入力された信号レベルに応じた電流であって前記発光閾値以上の電流を前記発光素子に入力することで前記発光素子から光信号を出力させる駆動回路と、前記光信号を入力され、入力された前記光信号を電気信号に変換して出力する受信装置と、前記光信号がＬレベルとされる状態が所定のアイドル時間以上継続しているときに前記受信装置の出力を停止させる停止回路とを備えることを特徴とする。
【発明の効果】
【００２３】
本発明の光電気変換装置によれば、比較回路において受光回路の出力電圧と比較される基準電圧が一定とされているので、受光回路の出力電圧の時間平均が基準電圧とされる場合に比べ、光信号がＬレベルの状態が長時間継続する場合であっても比較回路の出力にノイズが発生しにくい。
【００２４】
また、本発明の別の光電気変換装置によれば、光信号がＬレベルとされる状態が所定のアイドル時間以上継続しているときに駆動回路からレーザーダイオードへの電流の入力を停止させる停止回路を備えるので、光信号がＬレベルの状態が長時間継続する場合であっても出力にノイズが発生しにくい。
【００２５】
さらに、本発明の更に別の光電気変換装置によれば、光信号がＬレベルとされる状態が所定のアイドル時間以上継続しているときに受信装置の出力を停止させる停止回路を備えるので、光信号がＬレベルの状態が長時間継続する場合であっても出力にノイズが発生しにくい。
【図面の簡単な説明】
【００２６】
【図１】本発明の実施形態１における受信装置を示す回路ブロック図である。
【図２】同上における受光電圧Ｖ１の波形の一例を示す説明図である。
【図３】同上の変更例における受信装置を示す回路ブロック図である。
【図４】同上の別の変更例における受信装置を示す回路ブロック図である。
【図５】同上の更に別の変更例における受信装置を示す回路ブロック図である。
【図６】本発明の実施形態２における送信装置を示すブロック図である。
【図７】同上における分岐回路の一例を示す回路ブロック図である。
【図８】同上における分岐回路の別の例を示す回路ブロック図である。
【図９】同上における分岐回路の更に別の例を示す回路ブロック図である。
【図１０】同上の変更例における送信装置を示すブロック図である。
【図１１】本発明の実施形態３を示すブロック図である。
【図１２】光電気変換装置の一例を示す正面図である。
【図１３】同上における送信装置を示す平面図である。
【図１４】同上を示す回路ブロック図である。
【図１５】同上において光信号の光量Ｐと増幅回路の出力電圧Ｖ１及び基準電圧Ｖｔｈの時間変化との時間変化の一例を示す説明図である。
【発明を実施するための形態】
【００２７】
以下、本発明を実施するための最良の形態について、図面を参照しながら説明する。
【００２８】
（実施形態１）
本実施形態の基本構成は図１２〜図１５で説明した従来例と共通であるので、共通する部分については図示並びに説明を省略する。
【００２９】
図１に示すように、本実施形態の受信装置２において、受信回路２２は、演算回路２２４に代えて、一定の基準電圧Ｖｔｈを比較回路２２３に入力する定電圧源２２５を備える。定電圧源２２５は、例えば電源電圧Ｖｃｃを分圧することで基準電圧Ｖｔｈを生成する。
【００３０】
例えば、図２に示すように、光信号がＨレベルであるときの受光電圧Ｖ１の最低値として想定される電圧（以下、「Ｈレベル下限電圧」と呼ぶ。）がＶ１ｔであって、光信号がＬレベルであるときの受光電圧Ｖ１の最高値として想定される電圧（以下、「Ｌレベル上限電圧」と呼ぶ。）がＶ１ｂである場合、基準電圧Ｖｔｈは、Ｈレベル下限電圧Ｖ１ｔよりも低く且つＬレベル上限電圧Ｖ１ｂよりも高い電圧とされる。
【００３１】
なお、上記のＨレベル下限電圧Ｖ１ｔとＬレベル上限電圧Ｖ１ｂとは、いずれも、各種の条件（例えば、光ファイバ３の長さや、レーザーダイオード１１の種別など）に依存する。そこで、Ｈレベル下限電圧Ｖ１ｔとしては、想定される条件の中で受光電圧Ｖ１が最も低くなる条件での電圧を用い、Ｌレベル上限電圧Ｖ１ｂとしては、想定される条件の中で受光電圧Ｖ１が最も高くなる条件での電圧を用いることが望ましい。
【００３２】
上記構成によれば、従来例のように基準電圧Ｖｔｈとして受光電圧Ｖ１の時間平均が用いられる場合に比べ、光信号がＬレベルの状態が長時間継続する場合であってもノイズが発生しにくい。
【００３３】
ところで、既に述べたように、Ｈレベル下限電圧Ｖ１ｔとＬレベル上限電圧Ｖ１ｂとは、各種の条件（例えば、光ファイバ３の長さや、レーザーダイオード１１の種別など）に依存する。そして、上記の実施形態は、Ｈレベル下限電圧Ｖ１ｔが基準電圧Ｖｔｈよりも確実に高く、且つ、Ｌレベル上限電圧Ｖ１ｂが基準電圧Ｖｔｈよりも確実に低くなるような範囲での条件にしか対応することができない。そこで、より多様な条件に対応可能とするために、図３〜図５に示すように、受光電圧Ｖ１のピーク値の変動を抑えるように、光信号の光量（具体的には、フォトダイオード２１の出力）に対する受光電圧Ｖ１の関係を随時変更（フィードバック制御）する自動利得制御回路２２６を受信回路２２に設けてもよい。バースト信号などにおける長いＬレベルの期間中に自動利得制御回路２２６が受光電圧Ｖ１を過剰に高くしてしまうことがないように、自動利得制御回路２２６の時定数は十分に大きくされる必要がある。自動利得制御回路２２６は、図３の例や図４の例のように受光電圧Ｖ１を直接検出するものであってもよいし、図５の例のように受光電圧Ｖ１に比例する電圧である電流電圧変換回路２２１の出力電圧を検出するものであってもよい。また、自動利得制御回路２２６は、図４の例のように増幅回路２２２における利得を制御するものであってもよいし、図３の例や図５の例のように電流電圧変換回路２２１の出力を制御するものであってもよい。図３の例や図５の例においては、電流電圧変換回路２２１は、自動利得制御回路２２６からの入力に応じて、入力電流に対する出力電圧の関係（比例係数）を変化させる。上記のような電流電圧変換回路２２１や自動利得制御回路２２６は周知技術で実現可能であるので、詳細な図示並びに説明は省略する。
【００３４】
（実施形態２）
本実施形態の基本構成は図１２〜図１５で説明した従来例と共通であるので、共通する部分については図示並びに説明を省略する。
【００３５】
図６に示すように、本実施形態の送信装置１は、レーザーダイオード１１が送信する光信号がＬレベルとされる状態（つまり、駆動回路１２への入力信号レベルがＬレベルである状態）が所定のアイドル時間以上継続しているときに駆動回路１２からレーザーダイオード１１への駆動電流の入力を停止させる停止回路５１を備える。
【００３６】
さらに、送信装置１は、駆動回路１２への入力信号レベルを分岐させて停止回路５１に入力する分岐回路５０を備える。図７〜図９に示すように、分岐回路５０は、インピーダンス整合のための抵抗Ｒを線路毎に備える。抵抗Ｒは、図７のように分岐の後段にのみ設けられていてもよいし、図８のように分岐の前段にのみ設けられていてもよいし、図９のように分岐の前段と後段との両方に設けられていてもよい。例えば、送信側の外部回路６のインピーダンスと、駆動回路１２の入力インピーダンスと、停止回路５１の入力インピーダンスとが、それぞれ５０Ωである場合、図７の例では各抵抗Ｒの抵抗値はそれぞれ５０Ωとされ、図８の例では各抵抗の抵抗値はそれぞれ２５Ωとされ、図９の例では各抵抗の抵抗値はそれぞれ約１６．７Ωとされる。
【００３７】
また、送信装置１は、駆動回路１２への電源電圧Ｖｃｃの供給をオンオフするスイッチ回路５２を備える。スイッチ回路５２は、例えば、周知の半導体スイッチからなるスイッチング素子５２１と、停止回路５１からの入力に応じてスイッチング素子５２１を駆動するスイッチ駆動回路５２２とからなる。上記のようなスイッチ回路５２は周知技術で実現可能であるので、詳細な図示並びに説明は省略する。なお、スイッチ駆動回路５２２を設ける代わりに、停止回路５１の出力によってスイッチング素子５２１が直接に駆動される構成としてもよい。
【００３８】
停止回路５１は、分岐回路５０から入力された入力信号レベルがＬレベルの状態（つまり、レーザーダイオード１１が出力する光信号がＬレベルとなる状態）の継続時間（以下、「Ｌレベル継続時間」と呼ぶ。）が所定のアイドル時間未満であるときにはスイッチ回路５２をオン状態に維持する。なお、上記のＬレベル継続時間は、分岐回路５０から入力された入力信号レベルがＨレベルである期間（つまり、光信号がＨレベルとされる期間）には０とされ、次に光信号がＬレベルとされたときに再度０から計時を開始される。Ｌレベル継続時間がアイドル時間以上か否かを判定する方法としては、計時のほか、入力信号レベル（電圧）の時間平均に基づいて判定する方法も考えられる。
【００３９】
また、停止回路５１は、Ｌレベル継続時間がアイドル時間以上であるときにはスイッチ回路５２をオフ状態とすることで、駆動回路１２への電源電圧Ｖｃｃの供給を停止させ、これによって駆動回路１２の動作を停止させてレーザーダイオード１１を停止させる。
【００４０】
上記のような停止回路５１は周知の電子回路で実現可能であるので、詳細な図示並びに説明は省略する。
【００４１】
上記のアイドル時間は、通信が確立した後の通常の光信号で発生すると考えられる最長のＬレベル継続時間よりも長く、且つ、なるべく短い時間とされることが望ましい。
【００４２】
停止回路５１としては、シャットダウン出力つきの市販のアンプ回路を用いてもよい。この場合、スイッチ回路５２のスイッチ駆動回路５２２は、停止回路５１のシャットダウン出力を受けてスイッチング素子５２１をオフ制御する。
【００４３】
また、本実施形態の受信回路２２では、演算回路２２４は、受光電圧Ｖ１の所定時間での時間平均と所定の最低基準電圧とのうち、より高い電圧を基準電圧Ｖｔｈとして比較回路２２３に入力する。上記の所定時間は、１ビットの信号の伝送にかかる時間（以下、「単位時間」と呼ぶ。）よりも十分に長く、例えば単位時間の２倍とされる。上記の最低基準電圧は、レーザーダイオード１１が停止した状態での受光電圧Ｖ１として予想される最高値以上の電圧であって、なるべく低い電圧とされる。以上により、基準電圧Ｖｔｈは、光信号が入力されていない状態での受光電圧Ｖ１よりも確実に高くなる。
【００４４】
上記構成によれば、光信号がＬレベルの状態が長時間継続する場合、レーザーダイオード１１が停止されるから、受信回路２２の出力（比較回路２２３の出力）にノイズが発生しにくい。
【００４５】
また、実施形態１のように基準電圧Ｖｔｈが一定とされる場合と違い、Ｌレベルの光信号の光量が異なる場合（具体的には、光ファイバ３の長さなどの条件が異なる場合）に対応可能である。
【００４６】
なお、駆動回路１２からレーザーダイオード１１への駆動電流の入力を停止させる方法としては、上記のように駆動回路１２の動作を停止させるという方法のほか、図１０に示すように、レーザーダイオード１１への駆動電流の入力をオンオフするスイッチ回路５３を駆動回路１２とレーザーダイオード１１との間に設け、このスイッチ回路５３をオフさせるという方法を採用してもよい。すなわち、図１０の例においては、停止回路５１は、Ｌレベル継続時間がアイドル時間未満であるときにはスイッチ回路５３をオン状態とし、Ｌレベル継続時間がアイドル時間以上であるときにはスイッチ回路５３をオフ状態とする。
【００４７】
上記の分岐回路５０と停止回路５１とスイッチ回路５２，５３とは、それぞれ、駆動回路１２とは別途の回路部品で構成してもよいし、駆動回路１２とともに１チップに集積化してもよい。
【００４８】
（実施形態３）
本実施形態の基本構成は実施形態２と共通であるので、共通する部分については説明を省略する。
【００４９】
本実施形態における停止回路５１は、Ｌレベル継続時間がアイドル時間以上であるとき、駆動回路１２からレーザーダイオード１１への駆動電流の入力を停止させる代わりに、受信回路２２の出力を停止させる。
【００５０】
具体的には、図１１に示すように、受信装置２の後段（すなわち受信回路２２の後段）には、受信装置２と後段の回路との間の接続をオンオフするスイッチ回路５４が設けられている。停止回路５１は、上記のスイッチ回路５４を図１０の例におけるスイッチ回路５３と同様に制御する。すなわち、停止回路５１は、Ｌレベル継続時間がアイドル時間未満であるときにはスイッチ回路５４をオン状態とし、Ｌレベル継続時間がアイドル時間以上であるときにはスイッチ回路５４をオフ状態とすることで受信回路２２から後段の回路への出力を停止させる。
【００５１】
上記構成によれば、光信号がＬレベルの状態が長時間継続する場合、受信回路２２の出力が停止（遮断）されるから、出力にノイズが発生しにくい。
【００５２】
また、実施形態２と同様に、受光電圧Ｖ１の時間平均に応じて基準電圧Ｖｔｈを変動させる場合には、Ｌレベルの光信号の光量が異なる場合に対応可能である。
【００５３】
さらに、実施形態２と比較すると、停止回路５１とスイッチ回路５４とを相互に接続する配線が必要となる代わりに、Ｌレベル継続時間がアイドル時間以上であるときのノイズが、基準電圧Ｖｔｈに関わらず（例えば、最低基準電圧が０Ｖとされる場合であっても）防止される。
【００５４】
なお、図１１では、分岐回路５０と停止回路５１とスイッチ回路５４とをそれぞれ送信装置１や受信装置２とは別途に記載しているが、分岐回路５０や停止回路５１は送信装置１のプリント配線板１０上に設けてもよく、スイッチ回路５４は受信装置２のプリント配線板２０上に設けてもよい。さらに、分岐回路５０や停止回路５１を駆動回路１２とともに１チップに集積化するとともに、スイッチ回路５４を受信回路２２とともに１チップに集積化してもよい。
【符号の説明】
【００５５】
２  受信装置
１１  レーザーダイオード（発光素子）
１２  駆動回路
２１  フォトダイオード（受光回路の一部）
５１  停止回路
２２１  電流電圧変換回路（受光回路の一部）
２２２  増幅回路（受光回路の一部）
２２３  比較回路
２２４  演算回路
２２５  定電圧源
２２６  自動利得制御回路
【図１】
2014158096.tif 000003
【図２】
2014158096.tif 000004
【図３】
2014158096.tif 000005
【図４】
2014158096.tif 000006
【図５】
2014158096.tif 000007
【図６】
2014158096.tif 000008
【図７】
2014158096.tif 000009
【図８】
2014158096.tif 000010
【図９】
2014158096.tif 000011
【図１０】
2014158096.tif 000012
【図１１】
2014158096.tif 000013
【図１２】
2014158096.tif 000014
【図１３】
2014158096.tif 000015
【図１４】
2014158096.tif 000016
【図１５】
2014158096.tif 000017